【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
重力補助回転機構は、同一の回転中心或いは回転軸により設置する少なくとも２個の大きさが異なる同心の回転部品を備え、
少なくともその内の大きいサイズの回転部品及び小さいサイズの回転部品の上には、回転方向が異なる干渉部をそれぞれ設置し、各同心の前記回転部品の間に結合する少なくとも一対の牽引部品を備え、
前記各牽引部品は、前記各干渉部の間において、前記相対的にサイズが大きい回転部品の干渉部が、回転下降する牽引部品に対して生じる支えと、前記相対的にサイズが小さい回転部品の干渉部が、回転上昇する牽引部品に対して生じる支えを受けることを特徴とする重力補助回転機構。
【請求項２】
前記回転部品は、同心で、大から小へと排列する第一回転リング、第二回転リング、第三回転リング、回転盤を備え、
前記牽引部品は、おもり体により牽引片を結合し、前記第一回転リング上の干渉部には、第二干渉部を設置し、前記第二回転リング上の干渉部には、第一干渉部を設置し、
前記おもり体は、前記第一回転リングの外周位置に配置され、
前記牽引片の末端に近い位置には、回転中心或いは回転軸を可動状態で結合する貫通孔を設置し、それぞれ安定点を備え、前記回転盤上の第一可動結合点に可動状態で結合し、
前記各牽引片は、前記各回転部品上の異なる干渉部の制限をそれぞれ受けることを特徴とする請求項１に記載の重力補助回転機構。
【請求項３】
前記牽引片末端には別に、外伸端を設置し、前記第二回転リングの上に可動状態で結合することを特徴とする請求項２に記載の重力補助回転機構。
【請求項４】
前記回転部品の回転中央には、中央孔を設置し、これに前記回転中心或いは回転軸を通して設置し連動し、
前記回転盤、前記第三回転リング、前記第二回転リングの間は、相互に係合して接続することを特徴とする請求項２に記載の重力補助回転機構。
【請求項５】
前記回転部品は、前記相互に組み立てる回転部品間に、それぞれ係合結合部品を設置し、
前記係合結合部品により、係合して接続することを特徴とする請求項４に記載の重力補助回転機構。
【請求項６】
前記回転盤は、外に向かい延伸し、少なくとも２個の対称の第一導引片を設置し、前記第一導引片の外端は、前記第二回転リング上に可動状態で結合することを特徴とする請求項２乃至５のいずれか一項に記載の重力補助回転機構。
【請求項７】
前記第三回転リングの上には、前記第一導引片に対応し外へと延伸して、反対向きで、対称の第二導引片を設置し、
その上には嵌槽を設置し、これにより前記第一導引片を嵌合し、
その外端は、前記第一回転リングに可動状態で結合することを特徴とする請求項６に記載の重力補助回転機構。
【請求項８】
前記第三回転リングの上には、外に向かい延伸し、反対向きで、対称の第二導引片を設置し、
その外端は、前記第一回転リングに可動状態で結合することを特徴とする請求項２乃至５のいずれか一項に記載の重力補助回転機構。
【請求項９】
前記第三回転リングの上には、外に向かい延伸し、反対向きで、対称の第二連接片を設置し、
その末端は、前記第一回転リングに結合することを特徴とする請求項２乃至８のいずれか一項に記載の重力補助回転機構。
【請求項１０】
前記第三回転リングの上にはさらに、押し引き部を設置し、前記回転盤の上には、可動結合部を設置し、
両者の組合せ時には、弾性部品を、前記可動結合部と前記押し引き部の間に設置することを特徴とする請求項２乃至９のいずれか一項に記載の重力補助回転機構。
【請求項１１】
前記各牽引部品は、前記各干渉部位置で制限され、少なくとも局部の位置限定部品は、前記各第二干渉部に通され、前記各牽引片の上に固定して設置され、
前記各位置限定部品と前記回転中心或いは回転軸間には、弾性部品を通して設置し、
これにより前記弾性部品の両端は、前記位置限定部品及び前記回転中心或いは回転軸上にそれぞれ作用することを特徴とする請求項２乃至１０のいずれか一項に記載の重力補助回転機構。
【請求項１２】
前記別の局部の位置限定部品は、前記第一干渉部位置に固定して設置され、前記弾性部品の弾性回転中心は、前記位置限定部品位置に結合されることを特徴とする請求項１１に記載の重力補助回転機構。
【請求項１３】
前記回転盤と前記第三回転リングとの間には、弾性部品を可動状態で設置し、
前記弾性部品の両端は、前記第三回転リング及び前記回転盤に対してそれぞれ推力を生じることを特徴とする請求項２乃至１２のいずれか一項に記載の重力補助回転機構。
【請求項１４】
前記重力補助回転機構は、前記回転中心或いは回転軸の上に、複数組で、前記回転部品及び前記牽引部品により組合せる回転機構を結合することを特徴とする請求項１或いは２乃至１３のいずれか一項に記載の重力補助回転機構。
【請求項１５】
重力補助回転機構が対応する発電装置は、重力補助回転機構を備え、
前記重力補助回転機構は、同一回転中心或いは回転軸により設置する少なくとも２個の大きさが異なる同心回転部品、及び前記各同心回転部品の間に結合する少なくとも１対の牽引部品を備え、
前記大きい方の回転部品と、前記小さい方の回転部品の上には、転動方向が異なる干渉部を設置し、
前記各牽引部品は、前記各干渉部の間で制御され、前記相対的にサイズが大きい回転部品の干渉部は、回転して下降する牽引部品に対して支えを生じ、
前記相対的にサイズが小さい回転部品の干渉部は、回転して上昇する牽引部品に対して支えを生じ、
前記回転中心或いは回転軸の上には、発電装置を連結することを特徴とする重力補助回転機構が対応する発電装置。
【請求項１６】
前記回転部品は、同心で、大から小へと第一回転リング、第二回転リング、第三回転リング、回転等を備え、
前記牽引部品は、おもり体により牽引片を結合し、前記第一回転リング上の干渉部は第二干渉部を設置し、前記第二回転リング上の干渉部は第一干渉部を設置し、
前記おもり体は、前記第一回転リングの外周位置に設置され、前記牽引片の末端に近い位置には、前記回転中心或いは回転軸を可動状態で結合する貫通孔を設置し、
それぞれ安定した点を備え、前記回転盤上の第一可動結合点に可動状態で結合し、
前記各牽引片は、前記各回転部品上の異なる干渉部の制限を受けることを特徴とする請求項１５に記載の重力補助回転機構が対応する発電装置。
【請求項１７】
前記牽引片末端にはさらに、外伸端を設置し、前記第二回転リングの上に可動状態で結合し、
前記回転部品の回転中央には、中央孔を設置し、前記回転中心或いは回転軸を直列接続して連動し、
前記回転盤、前記第三回転リング、前記第二回転リングの間は相互に係合して接続することを特徴とする請求項１６に記載の重力補助回転機構が対応する発電装置。
【請求項１８】
前記回転盤は、外へと延伸して、少なくとも２個の対称の第一導引片を設置し、
前記第一導引片の外端は、前記第二回転リング上に可動状態で結合し、
前記第三回転リングの上は、外へと延伸して、反対向きで、対称の第二導引片を設置し、
その外端は、前記第一回転リングに可動状態で結合し、
前記第三回転リングの上は外へと延伸して、反対向きで、対称の第二連接片を設置し、
その末端は、前記第一回転リングに結合することを特徴とする請求項１６または１７に記載の重力補助回転機構が対応する発電装置。
【請求項１９】
前記第三回転リングの上には別に押し引き部を設置し、回転盤の上には、可動結合部を設置し、
両者の組合せ時には、弾性部品を前記可動結合部と前記押し引き部の間に設置することを特徴とする請求項１６乃至１８のいずれか一項に記載の重力補助回転機構が対応する発電装置。
【請求項２０】
前記各牽引部品は、前記各干渉部において制限され、少なくとも局部の位置限定部品は各第二干渉部に通り、前記各牽引片の上に固定して設置し、
前記各位置限定部品と前記回転中心或いは回転軸間には、弾性部品を設置し、
これにより、前記弾性部品の両端は、前記位置限定部品及び前記回転中心或いは回転軸上にそれぞれ作用することを特徴とする請求項１６乃至１９のいずれか一項に記載の重力補助回転機構が対応する発電装置。
【請求項２１】
前記回転盤と第三回転リングの間には、弾性部品を可動状態に設置し、前記弾性部品の両端は、前記第三回転リング及び前記回転盤に作用して推力を生じることを特徴とする請求項１６乃至２０のいずれか一項に記載の重力補助回転機構が対応する発電装置。
【請求項２２】
前記回転中心或いは回転軸の上には、前記回転部品及び前記牽引部品により組成する複数組の回転機構を設置することを特徴とする請求項１６乃至２１のいずれか一項に記載の重力補助回転機構が対応する発電装置。
【請求項２３】
前記発電装置は、前記回転中心或いは回転軸上に設置する連動ホイールを備え、
前記連動ホイールは、起動装置、発電装置をそれぞれ連結することを特徴とする請求項１５乃至２２のいずれか一項に記載の重力補助回転機構が対応する発電装置。
【請求項２４】
前記発電装置はさらに、電子制御装置を連結し、
さらに、前記電子制御装置は、蓄電装置を電気的に連接することを特徴とする請求項１５乃至２３のいずれか一項に記載の重力補助回転機構が対応する発電装置。
【請求項２５】
前記電子制御装置はさらに、電性転換装置を電気的に連接することを特徴とする請求項２４に記載の重力補助回転機構が対応する発電装置。